(57)【特許請求の範囲】
【請求項１】
略直方体状の紙製箱体内にポップアップ式に取り出せるように交互に折り畳まれて積層された衛生用紙が収納され、前記箱体の上面パネルには前記衛生用紙を取り出す取出し口を形成するための輪郭切り込み線が設けられ、前記輪郭切り込み線で形成される前記取出し口の輪郭形状は、前記上面パネルの長手方向に沿って長い略長方形を基本形状とし、前記取出し口の両長辺に相互に接近する方向に突出する第１フラップ部を有し、対向する第１フラップ部間で狭幅の第１開口部分を形成し、前記第１開口部分の両側に広幅の第２開口部分を形成するようになっている衛生用紙収納箱において、
前記上面パネルには、前記輪郭切り込み線で形成される前記取出し口の長手方向の一端または両端に、前記取出し口を拡張する拡張用第２フラップ部を形成するための対向する２本の第２フラップ切り込み線が設けられており、前記第２フラップ切り込み線は、前記輪郭切り込み線の対向する長手方向線の端縁部位から前記上面パネルの長手方向両端側へ向かって伸び前記上面パネルの長手方向両端に至らない範囲の長さに形成されており、
前記各第１フラップ部及び／又は前記各拡張用第２フラップ部には、前記各第１フラップ部及び／又は前記各拡張用第２フラップ部の根本部位から先端部側に向かって凸形状となる弧状片を形成する弧状切り込み線が設けられていることを特徴とする衛生用紙収納箱。
【請求項２】
対向する２本の前記第２フラップ切り込み線は、それぞれの先端部が対向方向に角部が円弧状となるように折曲した形状に形成されていることを特徴とする請求項１に記載の衛生用紙収納箱。
【請求項３】
前記第２フラップ切り込み線で形成される拡張用第２フラップ部は、前記輪郭切り込み線で形成される前記取出し口の第２開口部分の幅と同等若しくは幅広となっていることを特徴とする請求項１または２に記載の衛生用紙収納箱。
【請求項４】
前記各第１フラップ部及び／又は前記各拡張用第２フラップ部には、弾性と可撓性を付与する易曲線部が設けられていることを特徴とする請求項１乃至３のいずれか１項に記載の衛生用紙収納箱。
【請求項５】
前記箱体の前記上面パネルには、前記輪郭切り込み線で形成される前記取出し口及び前記第２フラップ切り込み線で形成される拡張用第２フラップ部の周囲に位置して、交差する押罫線部からなるリブが複数箇所に分散して設けられていることを特徴とする請求項１乃至４のいずれか１項に記載の衛生用紙収納箱。
【請求項６】
前記リブは、弓形に形成された押罫線部が背合わせ状に交差していることを特徴とする請求項５に記載の衛生用紙収納箱。
【発明の詳細な説明】
【技術分野】
【０００１】
本発明は、ポップアップ式に取り出せるように交互に折り畳まれて積層されたティシュペーパー等の衛生用紙を収納する衛生用紙収納箱に関するものであり、さらに詳しくは、衛生用紙を取り出す取出し口にフィルムを設けないフィルムレス構造の衛生用紙収納箱に関するものである。
【背景技術】
【０００２】
家庭やオフィス等で広く使われているティシューペーパー、キッチンペーパー、トイレットペーパー、ワイパー、ペーパータオル等の衛生用紙をポップアップ式に取り出せるように交互に折り畳まれて積層された状態で収納する衛生用紙収納箱として、従来、略直方体からなる紙製の箱体の上面パネルに衛生用紙を取り出すための取出し口が設けられ、この取出し口を設けた上面パネルの内面には、取出し口を塞ぐようにポリエチレン等のプラスチックフィルムが貼着され、このフィルムの幅方向の中央には衛生用紙取出し用のスリットが長手方向に開けられ、フィルムのスリットから箱体内に収納されている衛生用紙を取り出したとき、次の衛生用紙が箱体内からスリットに保持される位置まで引き出され、スリット間での摩擦により所謂ポップアップした衛生用紙が箱内に落ち込まず保持されるようになっているものが知られている。
【０００３】
しかしながら、この取出し口をフィルムで塞いだ衛生用紙収納箱は、箱体内の衛生用紙の供給が終わって廃棄する際、紙製の箱体からフィルムを引き剥がし分別して廃棄しなければならず、廃棄時に手間がかかるといた問題があった。また、衛生用紙収納箱の製造にあっても、取出し口を設けた箱体の上面パネルの内面に取出し口を塞ぐようにフィルムを貼着するといった面倒な製造工程を要し、製造上や原材料でコスト高となっているといった問題があった。
【０００４】
このような問題点を解決するため、ポップアップ式に取り出せるように交互に折り畳まれて積層されたティシュペーパー等の衛生用紙を収納する衛生用紙収納箱であって、衛生用紙を取り出す取出し口にフィルムを設けないフィルムレス構造の衛生用紙収納箱が提案されている（例えば、特許文献１、特許文献２、特許文献３、特許文献４参照。）。
【０００５】
これらのフィルムレス構造の衛生用紙収納箱は、箱体の上面パネルに設ける略長方形を基本形状とする取出し口の両長辺から、取出し口内に向かって一対のフラップ部を相互に接近するように突出させ、狭幅となる一対のフラップ部の先端部間でポップアップした衛生用紙を、この衛生用紙と一対のフラップ部の先端部の少なくとも一方の先端部との接触摩擦により保持するようになっている。
【先行技術文献】
【特許文献】
【０００６】
【特許文献１】特開２００４−３１５０８４号公報
【特許文献２】特許第３６７０６５０号公報
【特許文献３】特開２００７−２６７９８７号公報
【特許文献４】特開２００８−１３７６８６号公報
【発明の概要】
【発明が解決しようとする課題】
【０００７】
上記のフィルムレス構造の衛生用紙収納箱にあっては、いずれも取出し口からの衛生用紙の取り出し時に、取出し口の長手方向の両端部と引き出される衛生用紙との摩擦抵抗が大きく、衛生用紙が取り出し難く、また摩擦により衛生用紙が削られ紙粉が発生し、場合によっては衛生用紙が破れてしまったり、また衛生用紙の引き出しの際の摩擦音も大きく耳障りであるといった問題があつた。特に、衛生用紙が取出し口の長手方向の端部の一方側に偏って引き出された場合、取出し口の長手方向の端部との摩擦抵抗が一層大きいものとなり、前記問題点は顕著なものとなる。
【０００８】
本発明の目的は、取出し口からの衛生用紙の取り出し時に、取出し口の長手方向の両端部と引き出される衛生用紙との摩擦抵抗を小さくし、衛生用紙が取出し口の長手方向の端部の一方側に偏って引き出された場合であっても、衛生用紙を取出し口から円滑に取り出せるようにした衛生用紙収納箱を提供することにある。
【課題を解決するための手段】
【０００９】
上記の目的を達成するために、請求項１に記載の発明は、略直方体状の紙製箱体内にポップアップ式に取り出せるように交互に折り畳まれて積層された衛生用紙が収納され、前記箱体の上面パネルには前記衛生用紙を取り出す取出し口を形成するための輪郭切り込み線が設けられ、前記輪郭切り込み線で形成される前記取出し口の輪郭形状は、前記上面パネルの長手方向に沿って長い略長方形を基本形状とし、前記取出し口の両長辺に相互に接近する方向に突出する第１フラップ部を有し、対向する第１フラップ部間で狭幅の第１開口部分を形成し、前記第１開口部分の両側に広幅の第２開口部分を形成するようになっている衛生用紙収納箱において、前記上面パネルには、前記輪郭切り込み線で形成される前記取出し口の長手方向の一端または両端に、前記取出し口を拡張する拡張用第２フラップ部を形成するための対向する２本の第２フラップ切り込み線が設けられており、前記第２フラップ切り込み線は、前記輪郭切り込み線の対向する長手方向線の端縁部位から前記上面パネルの長手方向両端側へ向かって伸び前記上面パネルの長手方向両端に至らない範囲の長さに形成されており、前記各第１フラップ部及び／又は前記各拡張用第２フラップ部には、前記各第１フラップ部及び／又は前記各拡張用第２フラップ部の根本部位から先端部側に向かって凸形状となる弧状片を形成する弧状切り込み線が設けられていることを特徴とする。
【００１０】
請求項２に記載の発明は、請求項１に記載の、対向する２本の前記第２フラップ切り込み線は、それぞれの先端部が対向方向に角部が円弧状となるように折曲した形状に形成されていることを特徴とする。
【００１１】
請求項３に記載の発明は、請求項１または２に記載の、前記第２フラップ切り込み線で形成される拡張用第２フラップ部は、前記輪郭切り込み線で形成される前記取出し口の第２開口部分の幅と同等若しくは幅広となっていることを特徴とする。
【００１２】
請求項４に記載の発明は、請求項１乃至３のいずれか１項に記載の、前記各第１フラップ部及び／又は前記各拡張用第２フラップ部には、弾性と可撓性を付与する易曲線部が設けられていることを特徴とする。
【００１３】
請求項５に記載の発明は、請求項１乃至４のいずれか１項に記載の、前記箱体の前記上面パネルには、前記輪郭切り込み線で形成される前記取出し口及び前記第２フラップ切り込み線で形成される拡張用第２フラップ部の周囲に位置して、交差する押罫線部からなるリブが複数箇所に分散して設けられていることを特徴とする。
【００１４】
請求項６に記載の発明は、請求項５に記載の、前記リブは、弓形に形成された押罫線部が背合わせ状に交差していることを特徴とする。
【発明の効果】
【００１５】
請求項１に記載の衛生用紙収納箱によれば、上面パネルには、輪郭切り込み線で形成される取出し口の長手方向の一端または両端に、取出し口を拡張する拡張用第２フラップ部を形成するための対向する２本の第２フラップ切り込み線が設けられており、第２フラップ切り込み線は、輪郭切り込み線の対向する長手方向線の端縁部位から前記上面パネルの長手方向両端側へ向かって伸び前記上面パネルの長手方向両端に至らない範囲の長さに形成されているので、輪郭切り込み線で囲まれた部分を切り取ることにより上面パネルに形成される取出し口からの衛生用紙の取り出し時に、衛生用紙が取り出される過程で取出し口の長手方向の一端または両端に設けられた第２フラップ切り込み線で形成される拡張用第２フラップ部を押し上げ、これにより取出し口は長手方向に拡張するので、取出し口と衛生用紙との摩擦抵抗を小さくすることができ、取出し口から衛生用紙を容易に取り出すことができる。
【００１６】
さらに、衛生用紙の取り出し時に、取出し口と衛生用紙との間で最も摩擦が掛かる取出し口の長手方向の端部では、衛生用紙によって押し上げられた拡張用第２フラップ部は取り出される衛生用紙に沿って曲がり、この曲がった面で衛生用紙と接するので、拡張用第２フラップ部と衛生用紙との間の摩擦抵抗が小さく、衛生用紙を取出し口から円滑に取り出すことができ、衛生用紙からの紙粉の発生や衛生用紙の破れを有効に防止し、また、衛生用紙を取り出す際の摩擦音を低減することができる。
【００１７】
また、各第１フラップ部及び／又は各拡張用第２フラップ部には、各第１フラップ部及び又は各拡張用第２フラップ部の根本部位から先端部側に向かって凸形状となる弧状片を形成する弧状切り込み線が設けられているので、衛生用紙が取り出される過程で、衛生用紙により取り出し方向へ押圧を受けた各第１フラップ部及び／又は各拡張用第２フラップ部は弧状切り込み線で形成される弧状片を残して押し上げられるが、弧状片を残しているため押し上げる力を受ける面が小さくなり、軽い押圧で湾曲し容易に押し上げられことから、取出し口と衛生用紙との摩擦抵抗を一層小さくすることができ、取出し口から衛生用紙を一層容易に取り出すことができる。
【００１８】
特に、各第１フラップ部に弧状切り込み線が設けられていると、衛生用紙の取り出しの際に対向方向に突出する第１フラップ部が軽い押圧で湾曲し容易に押し上げられことから、対向する第１フラップ部の間を狭くすることが可能となり、対向するフラップ部の先端部間でポップアップした衛生用紙を一層確実に保持することができるものとなる。
【００１９】
また、衛生用紙の取り出しの際、衛生用紙の取り出しによって各第１フラップ部及び／又は各拡張用第２フラップ部の押し上げが容易となり、衛生用紙を取り出す際の摩擦音を低減することができる。
【００２０】
また、衛生用紙を取り出し後、この衛生用紙による押圧から開放された各第１フラップ部及び／又は各拡張用第２フラップ部は復元力により取出し口を狭めた状態に容易に復帰することができ、復帰した各第１フラップ部間で形成される狭幅となった第１開口部分で衛生用紙を取り出し後に引き出された次の衛生用紙を確実に保持することができるとともに、復帰した各拡張用第２フラップ部により取出し口が狭められ、箱体内への埃等の進入を極力少なくすることができる。
【００２１】
請求項２に記載の衛生用紙収納箱によれば、請求項１に記載の、対向する２本の第２フラップ切り込み線は、それぞれの先端部が対向方向に角部が円弧状となるように折曲した形状に形成されているので、衛生用紙の取り出し時に、衛生用紙が取出し口の長手方向の端部の一方側に偏って引き出され、衛生用紙が拡張用第２フラップ部を大きく押し上げ、衛生用紙が拡張用第２フラップ部の根本部を形成する第２フラップ切り込み線の先端部側に寄った場合であっても、衛生用紙は円弧状となっている角部で受けられることから、取出し口の長手方向の端部と引き出される衛生用紙との摩擦抵抗が小さく、衛生用紙を取出し口から円滑に取り出すことができる。
【００２２】
請求項３に記載の衛生用紙収納箱によれば、請求項１または２に記載の、第２フラップ切り込み線で形成される拡張用第２フラップ部は、輪郭切り込み線で形成される取出し口の第２開口部分の幅と同等若しくは幅広となっているので、衛生用紙の取り出し時に、衛生用紙による拡張用第２フラップ部の押し上げにより、取出し口は大きく拡張して開口することから、取出し口と衛生用紙との摩擦抵抗を一層小さくすることができ、取出し口から衛生用紙を一層容易に取り出すことができる。
【００２３】
請求項４に記載の衛生用紙収納箱によれば、請求項１乃至３のいずれか１項に記載の、各第１フラップ部及び／又は各拡張用第２フラップ部には、弾性と可撓性を付与する易曲線部が設けられているので、衛生用紙が取り出される過程で、衛生用紙により取り出し方向へ押圧を受けた各第１フラップ部及び／又は各拡張用第２フラップ部は易曲線部の存在により軽い押圧で湾曲し容易に押し上げられことから、取出し口と衛生用紙との摩擦抵抗を一層小さくすることができ、取出し口から衛生用紙を一層容易に取り出すことができる。
【００２４】
また、衛生用紙を取り出し後、この衛生用紙による押圧から開放された各第１フラップ部及び／又は各拡張用第２フラップ部は復元力により取出し口を狭めた状態に容易に復帰することができ、復帰した各第１フラップ部間で形成される狭幅となった第１開口部分で衛生用紙を取り出し後に引き出された次の衛生用紙を確実に保持することができるとともに、復帰した各拡張用第２フラップ部により取出し口が狭められ、箱体内への埃等の進入を極力少なくすることができる。
【００２５】
請求項５に記載の衛生用紙収納箱によれば、請求項１乃至４のいずれか１項に記載の、箱体の上面パネルには、輪郭切り込み線で形成される取出し口及び第２フラップ切り込み線で形成される拡張用第２フラップ部の周囲に位置して、交差する押罫線部からなるリブが複数箇所に分散して設けられているので、箱体の上面パネルにおける取出し口及び拡張用第２フラップ部の周囲を補強することができ、生産工程や使用時でのダメージを軽減することができる。また、リブの存在により、箱体の意匠性を高めることができるものとなる。
【００２６】
請求項６に記載の衛生用紙収納箱によれば、請求項５に記載の、リブは、弓形に形成された押罫線部が背合わせ状に交差しているので、上面パネルの取出し口及び拡張用第２フラップ部の周囲に掛かるあらゆる方向からの負荷に対してもリブにより強制的に分散することができ、箱体の上面パネルにおける取出し口及び拡張用第２フラップ部の周囲の補強を一層向上させることができる。
【図面の簡単な説明】
【００２７】
【図１】本発明に係る衛生用紙収納箱の形態の参考例を示す斜視図である。
【図２】参考例の拡大平面図である。
【図３】参考例の展開図である。
【図４】参考例の上面パネルから輪郭切り込み線で囲まれた部分を切り取り、取出し口を開口させた状態を示す斜視図である。
【図５】参考例の使用状態を示す説明図である。
【図６】本発明に係る衛生用紙収納箱の実施の形態の第１例を示す拡大平面図である。
【図７】本例の使用状態を示す説明図である。
【図８】本発明に係る衛生用紙収納箱の実施の形態の第２例を示す拡大平面図である。
【図９】本例の使用状態を示す説明図である。
【発明を実施するための形態】
【００２８】
以下、本発明に係る衛生用紙収納箱を実施するための形態を説明する。
図１乃至図５は本発明に係る衛生用紙収納箱の実施の形態の参考例を示すもので、図１は参考例の斜視図、図２は参考例の拡大平面図、図３は参考例の展開図、図４は参考例の上面パネルから輪郭切り込み線で囲まれた部分を切り取り、取出し口を開口させた状態を示す斜視図、図５は参考例の使用状態を示す説明図である。
【００２９】
参考例の衛生用紙収納箱は、略直方体状の紙製の箱体１内にポップアップ式に取り出せるように交互に折り畳まれて積層された衛生用紙２が収納されたものであって、箱体１は、図３の展開図に示すように、折線３，４，５を介して図中上下方向に連接する長方形状の背面パネル６、上面パネル７、正面パネル８、底面パネル９と、上面パネル７および底面パネル９の左右縁に折線１０，１１を介して連接する側面パネル１２，１３と、背面パネル６および正面パネル８の左右縁に折線１４，１５を介して連接し、前記した側面パネル１２，１３の内側に折り込まれる折込パネル１６，１７と、底面パネル９の下縁に折線１８を介して連接し、前記した背面パネル６に接着される糊代パネル１９とを有している。
【００３０】
上面パネル７には、衛生用紙２を取り出す取出し口２０を形成するための輪郭切り込み線２１が設けられている。この輪郭切り込み線２１で形成される取出し口２０の輪郭形状は、上面パネル７の長手方向に沿って長い略長方形を基本形状とし、取出し口２０の両長辺２０ａ，２０ａに相互に接近する方向に突出する一対の第１フラップ部２２，２２を有し、対向する第１フラップ部２２，２２間で狭幅の第１開口部分２３が形成され、第１開口部分２３の両側に広幅の第２開口部分２４，２５が形成されている。
【００３１】
取出し口２０の両長辺２０ａ，２０ａに有するそれぞれの第１フラップ部２２，２２にあっては、いずれも取出し口２０の長手方向の中心線Ｃから左右いずれかに片寄っている。参考例では、図上右側に寄っている。このようにすると、取出し口２０における第１開口部分２３の両側に形成される第２開口部分２４，２５のうちの一方の第２開口部分２４（図上左側）を広い面とすることができ、輪郭切り込み線２１を切断し輪郭切り込み線２１で囲まれた部分を切り取るための指穴切り込み線２６を設けることが容易となり、また、開口した取出し口２０からの衛生用紙２の取り出しが容易となる。
【００３２】
また、上面パネル７には、輪郭切り込み線２１で形成される取出し口２０の長手方向の両端に、取出し口２０を拡張する拡張用第２フラップ部２７，２７を形成するための対向する２本の第２フラップ切り込み線２８，２８がそれぞれ設けられている。第２フラップ切り込み線２８，２８は、輪郭切り込み線２１の対向する長手方向線のそれぞれの両側の端縁部位から上面パネル７の長手方向両端側へ向かって伸び上面パネル７の長手方向両端に至らない範囲の長さに形成されている。この第２フラップ切り込み線２８，２８の長さにあっては特に限定されないが、短いと拡張用第２フラップ部２７，２７の存在意義が薄れ、また長すぎると上面パネル７の強度が弱くなるので、拡張用第２フラップ部２７，２７の存在意義を果たし、且つ上面パネル７の強度が著しく弱くならない長さに設定される。参考例では、第２フラップ切り込み線２８，２８の長さは、輪郭切り込み線２１で形成される取出し口２０の長手方向の端部と上面パネル７の長手方向端部との間の長さの概ね１／２〜１／４の長さとなっている。
【００３３】
また、参考例では、対向する２本の第２フラップ切り込み線２８，２８は、それぞれの先端部２８ａ，２８ａが対向方向に角部２９，２９が円弧状となるように折曲した形状に形成されている。また、第２フラップ切り込み線２８，２８で形成される拡張用第２フラップ部２７，２７の幅は、輪郭切り込み線２１で形成される取出し口２０の第２開口部分２４，２５の幅と同幅、狭幅、広幅のいずれでもよい。拡張用第２フラップ部２７，２７の幅が第２開口部分２４，２５の幅より狭幅或いは広幅となっている場合は、第２フラップ切り込み線２８，２８と輪郭切り込み線２１との接続部位は曲線状或いは直線で接続する。このようにすることにより、取出し口２０から衛生用紙２を取り出したとき、少ない摩擦抵抗で引き出すことができることになる。
参考例では、第２フラップ切り込み線２８，２８で形成される拡張用第２フラップ部２７，２７の幅は、輪郭切り込み線２１で形成される取出し口２０の第２開口部分２４，２５の幅より幅広となっている。
なお、参考例では、上面パネル７に、輪郭切り込み線２１で形成される取出し口２０の長手方向の両端に、取出し口２０を拡張する拡張用第２フラップ部２７，２７を形成するための対向する２本の第２フラップ切り込み線２８，２８がそれぞれ設けられているが、これに限定されるものではなく、取出し口２０の長手方向のいずれか一端にだけ、拡張用第２フラップ部２７を形成するための対向する２本の第２フラップ切り込み線２８を設けてもよい。
【００３４】
また、前記した各第１フラップ部２２，２２及び各拡張用第２フラップ部２７，２７には、弾性と可撓性を付与する易曲線部３０が設けられている。この易曲線部３０は各第１フラップ部２２，２２及び各拡張用第２フラップ部２７，２７の根本部位にそれぞれ設けられている。さらに各第１フラップ部２２，２２及び各拡張用第２フラップ部２７，２７上にも１乃至複数の易曲線部３０が設けられている。参考例では各第１フラップ部２２，２２及び各拡張用第２フラップ部２７，２７のいずれにも１乃至複数の易曲線部３０が設けられている。
なお、参考例では、各第１フラップ部２２，２２及び各拡張用第２フラップ部２７，２７に弾性と可撓性を付与する易曲線部３０が設けられているが、これに限定されるものではなく、各第１フラップ部２２，２２及び各拡張用第２フラップ部２７，２７のいずれか一方に易曲線部３０を設けてもよい。この易曲線部３０は、押罫線が好ましいが、ミシン目等の脆弱化の方法を用いてもよい。脆弱化による曲がり易さを目的とする押罫線は、押罫線の境界部分の強度低下によって罫線に沿って曲がり易くなる作用を利用するものである。参考例では、易曲線部３０は押罫線となっている。
【００３５】
また、上面パネル７には、輪郭切り込み線２１で形成される取出し口２０及び第２フラップ切り込み線２８，２８で形成される拡張用第２フラップ部２７，２７の周囲に位置して、交差する押罫線部３１からなるリブ３２が複数箇所に分散して設けられている。参考例では、取出し口２０及び拡張用第２フラップ部２７，２７を挟んで、取出し口２０及び拡張用第２フラップ部２７，２７の長手方向及び短手方向における対角線上に設けられている。このリブ３２は、弓形に形成された押罫線部３１が背合わせ状に交差して形成されている。リブ３２となる押罫線部３１は、罫線部分の圧縮及び線状立体構造による曲げ強度を利用するものである。
【００３６】
このような構成の展開構造を有する箱体１は、折線３，４，５，１８から背面パネル６、上面パネル７、正面パネル８、底面パネル９、糊代パネル１９を山折りして、糊代パネル１９を背面パネル６に接着し、また、背面パネル６および正面パネル８の左右縁に連接する折込パネル１６，１７を折線１４，１５から山折りし、さらに上面パネル７および底面パネル９の左右縁に連接する側面パネル１２，１３を折線１０，１１から山折りして折込パネル１６，１７の外側に重ね、側面パネル１２，１３を接着することにより形成される。
【００３７】
この箱体１内には、側面パネル１２，１３を接着する前に、ポップアップ式に取り出せるように交互に折り畳まれて積層された衛生用紙２が収納され、側面パネル１２，１３が接着されて衛生用紙収納箱が完成する（図１）。
【００３８】
このようにして完成した衛生用紙収納箱の開封にあっては、輪郭切り込み線２１で形成される取出し口２０の第２開口部分２４に設けられた指穴切り込み線２６を押し切りして開口させ、指を挿入して引き上げ、輪郭切り込み線２１を切断して輪郭切り込み線２１で囲まれた部分を切り取り、取出し口２０を開口させる（図４）。
【００３９】
このようにして開口した取出し口２０から箱体１内に収納されている最上部にある衛生用紙２を取り出す。このとき、参考例では、取出し口２０における第１開口部分２３の両側に形成される第２開口部分２４，２５のうちの一方の第２開口部分２４が広い面となっているので、広い面の第２開口部分２４から取り出すようにすれば取出し口２０に指が入れ易く、衛生用紙２を容易に摘むことができることになる。
【００４０】
そして、取出し口２０からの衛生用紙２の取り出し時には、衛生用紙２が取り出される過程で取出し口２０の両長辺２０ａ，２０ａに相互に接近する方向に突出する第１フラップ部２２，２２を押し上げて第１フラップ部２２，２２間の狭幅の第１開口部分２３を広げるとともに、取出し口２０の長手方向の両端に設けられた第２フラップ切り込み線２８，２８で形成される拡張用第２フラップ部２７，２７を押し上げることになり、拡張用第２フラップ部２７，２７の押し上げにより取出し口２０は長手方向に拡張するので、その分、取出し口２０と衛生用紙２との摩擦抵抗が小さくなり、取出し口２０から衛生用紙２を容易に取り出すことができる。
【００４１】
特に参考例では、第２フラップ切り込み線２８，２８は、それぞれの先端部２８ａ，２８ａが対向方向に角部２９，２９が円弧状となるように折曲した形状に形成されているので、衛生用紙２の取り出し時に、衛生用紙２が取出し口２０の長手方向の端部の一方側に偏って引き出され、衛生用紙２が一方の拡張用第２フラップ部２７を大きく押し上げ、衛生用紙２が拡張用第２フラップ部２７の根本部を形成する第２フラップ切り込み線２８の先端部２８ａ側に寄った場合であっても、衛生用紙２は円弧状に形成されている角部２９で受けられることから、取出し口２０の長手方向の端部と引き出される衛生用紙２との摩擦抵抗が小さく、衛生用紙２を取出し口２０から円滑に取り出すことができるものとなる。
【００４２】
また参考例では、拡張用第２フラップ部２７，２７は、取出し口２０の第２開口部分２４，２５の幅より幅広となっているので、衛生用紙２の取り出し時に、衛生用紙２による拡張用第２フラップ部２７，２７の押し上げにより、取出し口２０は大きく拡張して開口することになり、取出し口２０と衛生用紙２との摩擦抵抗を一層小さくすることができ、取出し口２０から衛生用紙２を一層容易に取り出すことができる。
【００４３】
また参考例では、各第１フラップ部２２，２２及び各拡張用第２フラップ部２７，２７には根本部位及び各第１フラップ部２２，２２及各拡張用第２フラップ部２７，２７上に、各第１フラップ部２２，２２及び各拡張用第２フラップ部２７，２７に弾性と可撓性を付与する易曲線部３０が設けられているので、衛生用紙２が取り出される過程で、衛生用紙２により取り出し方向へ押圧を受けた各第１フラップ部２２，２２及び各拡張用第２フラップ部２７，２７は易曲線部３０の存在により軽い押圧で湾曲し容易に押し上げられることから、取出し口２０と衛生用紙２との摩擦抵抗を一層小さくすることができ、取出し口２０から衛生用紙２を一層容易に取り出すことができる。
【００４４】
また、衛生用紙２を取り出した後、この衛生用紙２による押圧から開放された各第１フラップ部２２，２２及び各拡張用第２フラップ部２７，２７は復元力により取出し口２０を狭めた状態に容易に復帰することができ、復帰した各第１フラップ部２２，２２間で形成される狭幅となった第１開口部分２３で衛生用紙２を取り出し後に引き出された次の衛生用紙２を確実に保持することができるとともに、復帰した各拡張用第２フラップ部２７，２７により箱体１内への埃等の進入を極力少なくすることができる。
【００４５】
また参考例では、上面パネル７には、輪郭切り込み線２１で形成される取出し口２０及び第２フラップ切り込み線２８，２８で形成される拡張用第２フラップ部２７，２７の周囲に位置して、交差する押罫線部３１からなるリブ３２が取出し口２０及び拡張用第２フラップ部２７，２７を挟んで、取出し口２０及び拡張用第２フラップ部２７，２７の長手方向及び短手方向における対角線上に設けられているので、箱体１の上面パネル７における取出し口２０及び拡張用第２フラップ部２７，２７の周囲を補強することができ、上面パネル７から輪郭切り込み線２１で囲まれた部分を切り取る際、取出し口２０から衛生用紙２を取り出す際、また、箱体１の製造の際に上面パネル７の取出し口２０及び拡張用第２フラップ部２７，２７の周囲に掛かる負荷によるダメージを軽減することができる。また、リブ３２の存在により、箱体１の意匠性を高めることができるものとなる。
【００４６】
特に参考例では、リブ３２となる交差する押罫線部３１は、弓形に形成された押罫線部３１が背合わせ状に交差しているので、上面パネル７の取出し口２０及び拡張用第２フラップ部２７，２７の周囲に掛かるあらゆる方向からの負荷に対してもリブ３２により強制的に分散することができ、箱体１の上面パネル７における取出し口２０及び拡張用第２フラップ部２７，２７の周囲の補強を一層向上させることができる。
【００４７】
図６、図７は本発明に係る衛生用紙収納箱の実施の形態の第１例を示すもので、図６は本例の拡大平面図、図７は本例の使用状態を示す説明図である。
本例は、前記参考例と基本構成を同じくするものであって、参考例と同じ部位には同じ符号を付しその説明を省略する。
【００４８】
本例の衛生用紙収納箱は、箱体１の上面パネル７に設けられた輪郭切り込み線２１で形成される取出し口２０の両長辺２０ａ，２０ａに有する一対の第１フラップ部２２，２２に、各第１フラップ部２２，２２の根本部位から先端部側に向かって凸形状となる弧状片３３を形成する弧状切り込み線３４が設けられている。弧状切り込み線３４によって形成される凸形状となる弧状片３３は、本例では略円弧状となっているが、角部をＲとする略四角形状であってもよい。
【００４９】
他の構成は、前記した参考例と同じ構成となっている。ただし、本例では、輪郭切り込み線２１で形成される取出し口２０の長手方向の一端に、取出し口２０を拡張する拡張用第２フラップ部２７を形成するための対向する２本の第２フラップ切り込み線２８が設けられている。
【００５０】
このように構成された本例の衛生用紙収納箱によれば、衛生用紙２が取り出される過程で、衛生用紙２により取り出し方向へ押圧を受けた各第１フラップ部２２，２２は弧状切り込み線３４で形成される弧状片３３を残して押し上げられるが（図７参照。衛生用紙図示省略）、弧状片３３を残しているため押し上げる力を受ける面が小さくなり、軽い押圧で湾曲し容易に押し上げられことになり、取出し口２０と衛生用紙２との摩擦抵抗を一層小さくすることができる。これにより、対向する第１フラップ部２２，２２の間を狭くすることが可能となり、対向するフラップ部２２，２２の先端部間、すなわち第１開口部分２３でポップアップした衛生用紙２を一層確実に保持することができるものとなる。
【００５１】
また、衛生用紙２の取り出しの際、衛生用紙２の取り出しによって各第１フラップ部２２，２２は容易に押し上げられるため、衛生用紙２を取り出す際の摩擦音を低減することができる。
【００５２】
また、衛生用紙２を取り出し後、この衛生用紙２による押圧から開放された各第１フラップ部２２，２２は復元力により取出し口２０を狭めた状態に容易に復帰することができ、復帰した各第１フラップ部２２，２２間で形成される狭幅となった第１開口部分２３で衛生用紙２を取り出し後に引き出された次の衛生用紙２を確実に保持することができる。
【００５３】
図８、図９は本発明に係る衛生用紙収納箱の実施の形態の第２例を示すもので、図８は本例の拡大平面図、図９は本例の使用状態を示す説明図である。
本例は、前記参考例と基本構成を同じくするものであって、参考例と同じ部位には同じ符号を付しその説明を省略する。
【００５４】
本例の衛生用紙収納箱は、箱体１の上面パネル７に設けられた輪郭切り込み線２１で形成される取出し口２０の長手方向の両端に拡張用第２フラップ部２７，２７を形成する対向する２本の第２フラップ切り込み線２８，２８が設けられており、この各拡張用第２フラップ部２７，２７に、各拡張用第２フラップ部２７，２７の根本部位から先端部側に向かって凸形状となる弧状片３３を形成する弧状切り込み線３４が設けられている。弧状切り込み線３４によって形成される凸形状となる弧状片３３は、本例では角部をＲとする略四角形状となっているが、略円弧状であってもよい。他の構成は、前記した参考例と同じ構成となっている。
このように構成された本例の衛生用紙収納箱によれば、衛生用紙２が取り出される過程で、衛生用紙２により取り出し方向へ押圧を受けた各拡張用第２フラップ部２７，２７は弧状切り込み線３４で形成される弧状片３３を残して押し上げられるが（図９参照。衛生用紙図示省略）、弧状片３３を残しているため押し上げる力を受ける面が小さくなり、軽い押圧で湾曲し容易に押し上げられことになり、取出し口２０と衛生用紙２との摩擦抵抗を一層小さくすることができる。
【００５５】
また、衛生用紙２の取り出しの際、衛生用紙２の取り出しによって各拡張用第２フラップ部２７，２７の押し上げが容易となり、衛生用紙２を取り出す際の摩擦音を低減することができる。
【００５６】
なお、本例では取出し口２０の長手方向の両端に拡張用第２フラップ部２７，２７を形成する対向する２本の第２フラップ切り込み線２８，２８が設けられているが、これに限定されるものではなく、取出し口２０の長手方向のいずれか一端にだけ、拡張用第２フラップ部２７を形成するための対向する２本の第２フラップ切り込み線２８が設けられているものであってもよい。
【実施例】
【００５７】
以下、本発明の実施例、参考例及び比較例を挙げて、本発明の特徴について例証する。
〈参考例１〉
箱体１の上面パネル７に形成される取出し口２０の長辺２０ａに第１フラップ部２２，２２を有し、且つ取出し口２０の長手方向の両端に拡張用第２フラップ部２７，２７を形成した。
〈参考例２〉
参考例１の第１フラップ部２２，２２及び拡張用第２フラップ部２７，２７に押罫線部３０を設けた。
〈実施例１〉
参考例１の第１フラップ部２２，２２及び拡張用第２フラップ部２７，２７に弧状切り込み線３４を設けた。
〈参考例３〉
参考例２の拡張用第２フラップ部２７，２７の根本部を円弧状の角部とした。
〈実施例２〉
実施例１の拡張用第２フラップ部２７，２７の根本部を円弧状の角部とした。
〈比較例１〉
参考例１と同条件の箱体１の上面パネル７に形成される取出し口２０の長辺２０ａに第１フラップ部２２，２２を有するだけとした。
［試験方法］
箱体１内に２００組の衛生用紙２を収納し、連続して取出し口２０の長手４５度方向、短手４５度方向に交互に引き出したときの衛生用紙２の切れ、音、紙粉発生について試験し、評価した。
評価の結果は表１に示す。評価は、衛生用紙２の切れにあっては、あり・なし、音、紙粉発生にあっては、Ａ：極めて少ない又は小さい、Ｂ：非常に少ない又は小さい、Ｃ：少ない又は小さい、Ｄ：大きい又は多いとして表す。
【００５８】
【表１】
0005578666.tif 000002
【符号の説明】
【００５９】
１  箱体
２  衛生用紙
３，４，５  折線
６  背面パネル
７  上面パネル
８  正面パネル
９  底面パネル
１０，１１  折線
１２，１３  側面パネル
１４，１５  折線
１６，１７  折込パネル
１８  折線
１９  糊代パネル
２０  取出し口
２０ａ  長辺
２１  輪郭切り込み線
２２  第１フラップ部
２３  第１開口部分
２４，２５  第２開口部分
２６  指穴切り込み線
２７  拡張用第２フラップ部
２８  第２フラップ切り込み線
２８ａ  先端部
２９  角部
３０  易曲線部
３１  押罫線部
３２  リブ
３３  弧状片
３４  弧状切り込み線
３５  開口部
【図１】
0005578666.tif 000003
【図２】
0005578666.tif 000004
【図３】
0005578666.tif 000005
【図４】
0005578666.tif 000006
【図５】
0005578666.tif 000007
【図６】
0005578666.tif 000008
【図７】
0005578666.tif 000009
【図８】
0005578666.tif 000010
【図９】
0005578666.tif 000011